(57)【要約】  【課題】取付工数を削減し、誤組み付けの防止を図ると共に、プロテクタの大型化を抑制し、作業性を低下させず、設計作業等も簡素化する。    【解決手段】本体２１の一方側壁２１ｃに連結される蓋２２、２４と、他方側壁２１ｂに連結される蓋２３、２５とを設け、これら蓋２２〜２５を両側から閉鎖できる構成とし、一方の蓋２２、２４の側端より他方の蓋２３、２５の内面側に位置されて蓋間の隙間を閉鎖する閉鎖板２２ｂ、２２ｃ、２４ｂを突設している一方、他方の蓋２３、２５の外面側端より誤組み付け防止用のリブ２３ｂ、２５ｂ、２５ｃを突設し、順序を間違えて誤組み付けすると、閉鎖板２２ｂ、２２ｃ、２４ｂがリブブ２３ｂ、２５ｂ、２５ｃに乗り上げて蓋２２、２４が本体２１とロックするのを防止する。  【選択図】図１
2005318740.tif 000002
【特許請求の範囲】
【請求項１】
桶形状の本体に蓋がヒンジを介して連結され、前記本体にワイヤハーネスを通した後に蓋を閉じて本体とロック結合するプロテクタであって、
前記蓋は長さ方向に分割され、底壁と両側壁とからなる前記本体の一方側壁にヒンジ連結される蓋と、他方側壁にヒンジ連結される蓋とを設けると共に、各蓋と前記本体との間にそれぞれロック部を設け、これら蓋を両側から閉鎖できる構成とし、かつ、
前記分割された蓋の連接位置には、一方の蓋の先端より他方の蓋の内面側に位置されて蓋間の隙間を閉鎖する閉鎖板を突設している一方、前記他方の蓋の外面側端より誤組み付け防止用のリブを前記本体の底壁から離れる方向に突設し、前記閉鎖板を突設した蓋を先に閉鎖した後に前記リブを突設した蓋を閉鎖する順序に設定し、該順序を間違えて誤組み付けすると、前記閉鎖板が前記リブ上に乗り上げて、該閉鎖板を突設した蓋が前記本体とロックすることを防止する構成としていることを特徴とするプロテクタ。
【請求項２】
前記蓋は、前記本体の長さ方向で角度が変わる部分や前記蓋と本体とのロック部を同一側壁の外面に形成できない部分で分割され、前記閉鎖板は蓋の下端面より突設して、該閉鎖板を連接する蓋の内面に位置された状態で、分割された蓋の外面が同一平面に位置される設定としている請求項１に記載のプロテクタ。  
【請求項３】
前記本体の側壁の中間位置にワイヤハーネスの幹線より分岐する支線用の引出用開口があり、該引出用開口を挟む側壁のうち、分岐上流側に当たる側壁にヒンジ結合された前記蓋を第１番目に閉鎖する設定としている請求項１または請求項２に記載のプロテクタ。  
【請求項４】
前記分割された蓋の閉鎖順序を示すナンバーを刻設している請求項１乃至請求項３のいずれか１項に記載のプロテクタ。
【発明の詳細な説明】
【技術分野】
【０００１】
本発明は、自動車に配索するワイヤハーネスを貫通させて、ワイヤハーネスの保護および経路規制をするプロテクタに関し、詳しくは、樹脂成型品からなるプロテクタの本体にワイヤハーネスを挿通した後に、前記本体の上面開口を閉鎖する蓋の閉鎖構造を改良するものである。
【背景技術】
【０００２】
樋形状のプロテクタの本体は、図６に示すように、貫通させるワイヤハーネスを屈曲させて通す必要がある場合や、同一側面の外面にロック部を突設するスペースをとれない場合には、桶形状の本体２が長手方向に屈曲され、該屈曲箇所を挟んで複数の蓋３〜５が本体２の一側にヒンジ連結されている。作業者は、本体２にワイヤハーネスを挿通した状態でそれぞれの蓋３〜５を閉じてロック部３ａ〜５ａを被ロック部２ａに係止して取り付け固定している。
【０００３】
しかしながら、複数の蓋３〜５を閉じる作業を行う際に、各蓋３〜５が本体２に対して全て一方向側にヒンジ連結されているため、例えば、作業者が右手で蓋３を閉じている際には、同側に存在する他の蓋４、５を順次閉じていかなければならず、作業性が悪い問題があった。
【０００４】
実開平４−１３４１１７号公報に開示されたプロテクタ６は、図７に示すように、桶形状の本体７に設けられた２つの蓋８、９が互いに対向される構造となっている。即ち、作業者はワイヤハーネスＷを本体２に挿通した状態で、例えば、右手で一方の蓋８を閉じると同時に左手で他方の蓋９を閉じて、作業性を改善している。
しかしながら、蓋８、９とは、延長部８ａを有する蓋８を閉じた後に蓋９を閉じる必要があるが、その順番を間違えても薄肉の延長部８ａが蓋９の上面側に載置されるだけとなり、作業者はその誤組み付けに気付かない恐れがある。
【０００５】
そこで、実開平４−１３４１１６号公報に開示されたプロテクタ１０は、図８に示すように、桶形状の本体１１の一側に設けられた蓋１２の端部１２ａと、他側に設けられた蓋１３の端部１３ａとが重ねられるようにし、一方の端部１２ａ内面に係止孔１２ｃを有する突起１２ｂを突設すると共に、他方の端部１３ａ内面にピン１３ｂを突設させている。
即ち、蓋１２を閉じてロック結合した後に蓋１３を閉じることで、蓋１３のピン１３ｂが蓋１２の係止孔１２ｃに正しく貫通係止される構造となっており、もし作業者がその順序を誤った場合には、先に閉じた蓋１３の上面に蓋１２の突起１２ｂが干渉して閉じられず、誤組み付けが検知される。
【０００６】
しかしながら、図８に示すプロテクタ１０の場合、誤組み付けの検知のために、本体２内部側に向けて突出する突起１２ｂおよびピン１３ｂを設けているため、本体１１のワイヤハーネス挿通空間を狭めてしまい、結果としてプロテクタ１０全体が大型化してしまう問題がある。
また、蓋１３はヒンジを支点として回動して閉鎖されるため、その際のピン１３ｂの軌道も蓋１２の係止孔１２ｃの軸線に対して斜めとなってしまい、先に閉じられた蓋１２の係止孔１２ｂにピン１３ｂがうまく差し込まれず、作業性を低下させる問題がある。
さらには、誤組み付け防止のために、係止孔１２ｃを有する突起１２ｂとピン１３ｂの両方を設けるため、設計時において互いの位置寸法等まで考慮せねばならず設計作業が煩わしくなる問題もある。
【特許文献１】実開平４−１３４１１７号公報
【特許文献２】実開平４−１３４１１６号公報
【発明の開示】
【発明が解決しようとする課題】
【０００７】
本発明は、上記問題に鑑みてなされたもので、蓋を分割しているプロテクタにおいて、蓋の誤組み付けの防止を図り、作業性の向上を図るものである。
【課題を解決するための手段】
【０００８】
上記課題を解決するため、本発明は、桶形状の本体に蓋がヒンジを介して連結され、前記本体にワイヤハーネスを通した後に蓋を閉じて本体とロック結合するプロテクタであって、
前記蓋は長さ方向に分割され、底壁と両側壁とからなる前記本体の一方側壁にヒンジ連結される蓋と、他方側壁にヒンジ連結される蓋とを設けると共に、各蓋と前記本体との間にそれぞれロック部を設け、これら蓋を両側から閉鎖できる構成とし、かつ、
前記分割された蓋の連接位置には、一方の蓋の先端より他方の蓋の内面側に位置されて蓋間の隙間を閉鎖する閉鎖板を突設している一方、前記他方の蓋の外面側端より誤組み付け防止用のリブを前記本体の底壁から離れる方向に突設し、前記閉鎖板を突設した蓋を先に閉鎖した後に前記リブを突設した蓋を閉鎖する順序に設定し、該順序を間違えて誤組み付けすると、前記閉鎖板が前記リブ上に乗り上げて、該閉鎖板を突設した蓋が前記本体とロックすることを防止する構成としていることを特徴とするプロテクタを提供している。
【０００９】
プロテクタの蓋を分割した場合、蓋の連接部には隙間が発生し、該隙間から内部が見えるために外観が良くないと共に、該隙間から鋭利な干渉材が挿入してワイヤハーネスを損傷を与える恐れがある。よって、本発明では蓋の連接部において内部を閉鎖する閉鎖板を一方の蓋より突設している。しかしながら、蓋の閉鎖順序を間違うと閉鎖板が外面側に位置して蓋自体が変形し、該蓋を本体にロックできなくなったりする。
そこで、本発明では、閉鎖板を突設した蓋と連接する蓋側に誤組み付け防止用のリブを突設していることにより、蓋の取り付け順序を間違えた場合には、前記リブで閉鎖板が蓋の外面に跳ね上げられるようにして、作業者は誤組み付けであることが直ぐに分かるようにしている。かつ、誤組み付け防止用のリブは蓋の外面に突出する構造としており、本体内のワイヤハーネス挿通空間にリブが突出していないので、本体の内部空間をワイヤハーネスの外径に合わせてギリギリまで小型することが可能となり、プロテクタの大型化を抑制することが可能となる。
また、正しい順序で各蓋を閉じる際には、他方の蓋の端部が一方の蓋の閉鎖板の上面側に載置されるだけで、図８の従来例のように互いの蓋の係合作業がなく作業性を低下させることもない。さらに、プロテクタ設計時においては、誤組み付け防止用のリブは他方の蓋の外面側端に設けるだけであるので設計作業も簡素化できる。
【００１０】
前記蓋は、前記本体の長さ方向で角度が変わる部分や前記蓋と本体とのロック部を同一側壁の外面に形成できない部分で分割され、前記閉鎖板は蓋の下端面より突設して、該閉鎖板を連接する蓋の内面に位置された状態で、分割された蓋の外面が同一平面に位置される設定としていると好ましい。
【００１１】
つまり、本体が長手方向に角度が変わる場合等にはその屈曲部を跨いで１つの蓋で閉鎖することはできず、該屈曲部を挟んで蓋を分割して形成する必要が生じるが、前記構成とすると、分割された各蓋が重なる部位に位置される閉鎖板を蓋の下端面より突出させているので、閉鎖面に他方の蓋が重ねられた際に互いの蓋の外面が同一平面を構成するようにして、一体的な外観を与えることができる。  
【００１２】
前記本体の側壁の中間位置にワイヤハーネスの幹線より分岐する支線用の引出用開口があり、該引出用開口を挟む側壁のうち、分岐上流側に当たる側壁にヒンジ結合された前記蓋を第１番目に閉鎖する設定としている。
このように、まず、分岐位置の蓋を閉めると、プロテクタ内でワイヤハーネスの分岐位置を本体と蓋とで挟持して位置決めでき、プロテクタから引き出される支線寸法の精度を高めることができる。
【００１３】
前記分割された蓋の閉鎖順序を示すナンバーを刻設していると好適である。
こうすると、閉鎖順序を覚えていない作業者がプロテクタの取付作業に関わったとしても、その場で閉鎖順序を知ることができ、誤組み付けを前もって防止することができ、作業性をより高めることができる。
【発明の効果】
【００１４】
以上の説明より明らかなように、本発明によれば、プロテクタの本体の上面開口を閉鎖する蓋を分割し、これら蓋を本体にワイヤハーネスを挿通した後にロック結合するプロテクタにおいて、分割した蓋の間に生じる隙間を閉鎖するための閉鎖板を一方の蓋から設けて見栄えを向上させると共に、該閉鎖板が連接する蓋の内面側に位置される順序で蓋が閉鎖されない場合には、閉鎖蓋が蓋の外面に跳ね上げられようにしているため、作業物は誤組みつけであることが直ぐに分かり、蓋の閉鎖順序をやり直すことができる。
【発明を実施するための最良の形態】
【００１５】
本発明の実施形態を図面を参照して説明する。
プロテクタ２０は合成樹脂により一体成型で形成されており、底壁２１ａと両側壁２１ｂ、２１ｃとを有する桶形状の本体２１と、一方側壁２１ｃに薄肉ヒンジ２６、２８を介して連結される第一蓋２２および第三蓋２４と、他方側壁２１ｂに薄肉ヒンジ２７、２９を介して連結される第二蓋２３および第四蓋２５とを備えており、上流側より第二蓋２３、第一蓋２２、第四蓋２５、第三蓋２４の順に交互に対向するように配置している。
【００１６】
両側壁２１ｂ、２１ｃには所定の位置に枠状の被ロック部２１ｄ、２１ｅを設けていると共に、第一蓋２２〜第四蓋２５の端部の対応する位置には係止爪となるロック部２２ａ〜２５ａを突設している。
本体２１は、長手方向に角度を変える屈曲部Ａ、Ｂを有した形状であり、長手方向の上流端および下流端よりテープ巻き舌片３２、３３を延出していると共に、第二蓋２３が連結される位置の他方側壁２１ｂに内方に向けて凹設される窪み部２１ｆを備えている。
【００１７】
つまり、第１蓋２２と第四蓋２５、および、第三蓋２４と第四蓋２５は互いに本体２１の角度が変わる屈曲部Ａ、Ｂを挟んでいるため分割して形成されているものであり、また、第一蓋２２と第二蓋２３は窪み部２１ｇが円弧状に凹設されており他方側壁２１ｂには被ロック部２１ｅが設定できないため分割して形成されているものである。
【００１８】
また、他方側壁２１ｂの外面の所要位置には車体パネルへの係止用のクランプ３４が突設されていると共に、一方側壁２１ｃの所要位置にはボルト孔を有するブラケット３５が設けられている。
さらに、一方側壁２１ｃの中間位置にはワイヤハーネスＷ／Ｈの幹線Ｗ１より分岐する支線Ｗ２用の引出用開口３０が形成され、この引出用開口３０の端縁よりテープ巻き舌片３１が突出している。この支線引出用開口３０のワイヤハーネス挿通方向で上流側の蓋を前記第一蓋２２として、閉鎖順序を第１番目としている。
【００１９】
第一蓋２２〜第四蓋２５の内面には、閉鎖順序を示すナンバーが刻設されており、具体的には、第一蓋２２の内面に数字の「１」、第二蓋２３の内面に数字の「２」、第三蓋２４の内面に数字の「３」、第四蓋２５の内面に数字の「４」をそれぞれ刻印している。
即ち、引出用開口３０を挟んで分岐上流側にある第一蓋２２、第二蓋２３を下流側の第三蓋２４、第四蓋２５よりも先に閉鎖するようにしている。また、第一蓋２２と第二蓋２３との関係では、支線Ｗ２を引出用開口３０に合わせ易いように引出用開口３０に近い第一蓋２２から先に閉鎖するようにしている。また、第三蓋２４と第四蓋２５との関係では、テープ巻き舌片３３に幹線Ｗ２を位置合わせし易いようにテープ巻き舌片３３に近い第三蓋２４から閉鎖するようにしている。
【００２０】
第一蓋２２の長さ方向の両側先端、即ち、隣接する第二蓋２３および第四蓋２５との連接位置には、第一蓋２２の下端面より薄肉の閉鎖板２２ｂ、２２ｃをそれぞれ第二蓋２３および第四蓋２５に重ねられる位置まで延在させている。
第二蓋２３の長さ方向の先端、即ち、隣接する第一蓋２２との連接位置には、外面より本体２１の底壁から離れる方向に１〜３ｍｍ程の高さで突出した誤組み付け防止用のリブ２３ｂを突設している。
第三蓋２４の長さ方向の先端、即ち、隣接する第四蓋２５との連接位置には、第三蓋２４の下端面より薄肉の閉鎖板２４ｂを第四蓋２５に重ねられる位置まで延在させている。
第四蓋２５の長さ方向の両側先端、即ち、隣接する第一蓋２２および第三蓋２４との連接位置には、外面より本体２１の底壁から離れる方向に１〜３ｍｍ程の高さで突出した誤組み付け防止用のリブ２５ｂ、２５ｃを突設している。
【００２１】
次に、プロテクタ２０のワイヤハーネスＷ／Ｈへの組付手順を説明する。
まず、図２に示すように、プロテクタのワイヤハーネス挿入側の入口（Ｐ１）から出口（Ｐ２）にかけて、本体２１の内部空間にワイヤハーネスＷ／Ｈの幹線Ｗ１を挿通すると共に、幹線Ｗ１より分岐する支線Ｗ２を引出用開口３０を通して外部に導出する。
この状態から、夫々の蓋２２〜２５の内面に刻設された数字「１」〜「４」の順番に従って、作業者は左手で第一蓋２２を閉じ、右手で第二蓋２３を閉じてロック部２２ａ、２３ｂを被ロック部２１ｄ、２１ｅに係止ロックする。その次に、作業者は左手で第三蓋２４を閉じ、右手で第四蓋２５を閉じてロック部２４ａ、２５ｂを被ロック部２１ｄ、２１ｅに係止ロックする。
【００２２】
つまり、図３において第三蓋２４と第四蓋２５について代表して示すように、作業者は両手を使って２つの蓋２４、２５を両側から閉鎖させることができ作業工数を削減することができる。
また、図４に示すように、第三蓋２４を閉じた後に第四蓋２５を閉じて閉鎖する順序を正しくすると、閉鎖板２４ｂが第四蓋２５の内面に位置された状態で、分割された第三蓋２４と第四蓋２５蓋の間に隙間が発生しないと共に、互いの蓋２４、２５の外面が同一平面に位置され、外観が良好に保たれるようになっている。
【００２３】
一方、閉鎖順序を間違えて誤組み付けした場合には、図５（Ａ）（Ｂ）において第三蓋２４と第四蓋２５について代表して示すように、閉鎖板２４ｂがリブ２５ｂ上に乗り上げて、閉鎖板２４ｂを突設した第三蓋２５が本体２１とロックできなくなるので、作業者は誤組み付けに容易に気付くことができる。
【００２４】
このように、本発明のプロテクタによれば、分割した蓋の隙間に閉鎖板を位置させて内部を見えないようにしているため見栄えが向上し、かつ、該閉鎖板が隣接する蓋の内面に位置させることができる正しい順番で蓋を閉鎖されない場合には、閉鎖板が蓋の外面に跳ね上がり、順番間違いが作業者が直ぐに気が付くようにしているため、蓋の閉鎖作業性を高めることができる。
【図面の簡単な説明】
【００２５】
【図１】本発明の実施形態のプロテクタの斜視図である。
【図２】プロテクタの平面図である。
【図３】組み付け作業の説明図である。
【図４】正しい組み付けを示す要部断面図である。
【図５】（Ａ）は誤組み付けを示すする要部斜視図、（Ｂ）は要部断面図である。
【図６】従来例を示す斜視図である。
【図７】別の従来例を示す斜視図である。
【図８】さらに別の従来例を示す斜視図である。
【符号の説明】
【００２６】
２０    プロテクタ
２１    本体
２１ｄ、２１ｅ  被ロック部  
２２    第一蓋
２２ａ〜２５ａ  ロック部
２２ｂ、２２ｃ、２４ｂ  閉鎖板
２３    第二蓋
２３ｂ、２５ｂ、２５ｃ  リブ
２４    第三蓋
２５    第四蓋
２６〜２９    薄肉ヒンジ
３０    引出用開口
Ａ、Ｂ    屈曲部
【図１】
2005318740.tif 000003
【図２】
2005318740.tif 000004
【図３】
2005318740.tif 000005
【図４】
2005318740.tif 000006
【図５】
2005318740.tif 000007
【図６】
2005318740.tif 000008
【図７】
2005318740.tif 000009
【図８】
2005318740.tif 000010